(57)【要約】【課題】利用者の立ち位置に応じて液晶表示器の表示状態を調整することで表示内容の視認性および秘匿性を高め得る決済端末を提供する。【解決手段】アンテナコイル２３ａの周囲には、液晶表示器２４の表示面２４ａが配置される奥側を除き、当該アンテナコイル２３ａを囲うように７つの検知用コイル２５ａ〜２５ｇが配置されている。これら検知用コイル２５ａ〜２５ｇにより、ＩＣカードＣがかざし面１２に対してかざされたかざし方向αが検知されると、この検知方向から表示面２４ａの表示内容が見やすくなるように液晶表示器２４の表示状態が制御部２１により調整される。【選択図】図３
2014056006.tif 000002
【特許請求の範囲】
【請求項１】
ＩＣカードを用いた決済関連情報が液晶表示器の表示面に表示される決済端末であって、
前記ＩＣカードと非接触通信するためのアンテナが配置されるかざし面と、
前記ＩＣカードが前記かざし面に対してかざされた方向を検知するための検知手段と、
前記検知手段により検知された検知方向から前記表示面の表示内容が見やすくなるように前記液晶表示器の表示状態を調整する調整手段と、
を備えることを特徴とする決済端末。
【請求項２】
前記表示面を覆うことで所定の視線方向を除くように視認性を低下させるフィルターを、異なる視線方向ごとに複数備え、
前記調整手段は、前記複数のフィルターのうち前記検知手段により検知された前記検知方向に対応する前記視線方向用のフィルターにより前記表示面を覆うことで、前記液晶表示器の表示状態を調整することを特徴とする請求項１に記載の決済端末。
【請求項３】
前記調整手段は、前記液晶表示器の液晶層内の液晶分子の配向状態を変化させて視野角を制御することで、前記液晶表示器の表示状態を調整することを特徴とする請求項１に記載の決済端末。
【請求項４】
前記検知手段は、前記かざし面の周囲に配置される複数のコイルを備え、前記ＩＣカードが前記かざし面にかざされたことにより前記複数のコイルのそれぞれに生じる電流変化に基づいて、前記検知方向を検知することを特徴とする請求項１〜３のいずれか一項に記載の決済端末。
【発明の詳細な説明】
【技術分野】
【０００１】
本発明は、ＩＣカードを用いた決済関連情報を液晶表示器にて表示する決済端末に関するものである。
【背景技術】
【０００２】
ＩＣカードに記憶される電子マネー等の金銭的情報を利用した決済を実行可能な決済端末には、一般的に液晶表示器が設けられており、この液晶表示器の表示面には、ＩＣカードを利用して決済する場合に、購入した商品の購入金額や購入後の残高等の決済関連情報が表示される。ＩＣカードを用いて商品を購入等する利用者は、決済完了後に表示面に表示される決済関連情報を見ることで決済の完了や残高等を認識するため、液晶表示器による表示内容の視認性を高めることが望まれる。
【０００３】
このような液晶表示器による表示内容の視認性を高める技術として、下記特許文献１に示す表示装置が知られている。この表示装置は、人が近くにいることが赤外線センサにより検知された場合には、超音波センサにより人までの距離を検出し、その人の目の位置を推定して、その目の位置に基づきＬＣＤ（液晶ディスプレイ）の表示の明るさ、ＬＣＤに表示する文字の大きさ、及びＬＣＤの表示コントラストを自動的に調整する。これにより、超音波センサにより検知された人に対するＬＣＤによる表示内容の視認性を高めている。
【先行技術文献】
【特許文献】
【０００４】
【特許文献１】特開２００６−１２６２２９号公報
【発明の概要】
【発明が解決しようとする課題】
【０００５】
ところで、決済端末には、ＩＣカードと非接触通信するためのアンテナを配置したかざし面が設けられており、このかざし面にＩＣカードをかざして所定の情報が通信されることで当該ＩＣカードを利用した決済が実行される。このかざし面にはどの方向からＩＣカードをかざしても通信可能な状態になるため、利用者の立ち位置によっては、ＩＣカードをかざし面にかざせても液晶表示器による表示内容が見にくくなる場合がある。
【０００６】
上記特許文献１に示すような液晶表示器の構成では、利用者に対して液晶表示器による表示内容の視認性を向上させるように表示の明るさ等が調整されるだけで、表示面に対して全ての方向からの表示内容の視認性が高まることになる。このように、全ての方向から表示内容の視認性を単に高めてしまうと、利用者と異なる第三者にも決済関連情報等の表示内容が見やすくなってしまい、ＩＣカードを取り扱う決済端末としては、セキュリティ面で望ましくない。
【０００７】
本発明は、上述した課題を解決するためになされたものであり、その目的とするところは、利用者の立ち位置に応じて液晶表示器の表示状態を調整することで表示内容の視認性および秘匿性を高め得る決済端末を提供することにある。
【課題を解決するための手段】
【０００８】
上記目的を達成するため、請求項１に記載の発明は、ＩＣカード（Ｃ）を用いた決済関連情報が液晶表示器（２４）の表示面（２４ａ）に表示される決済端末（１０，１０ａ）であって、前記ＩＣカードと非接触通信するためのアンテナ（２３ａ）が配置されるかざし面（１２）と、前記ＩＣカードが前記かざし面に対してかざされた方向を検知するための検知手段（２５ａ〜２５ｇ）と、前記検知手段により検知された検知方向（α１〜α１３）から前記表示面の表示内容が見やすくなるように前記液晶表示器の表示状態を調整する調整手段（２１，３１ａ〜３１ｇ）と、を備えることを特徴とする。
なお、上記各括弧内の符号は、後述する実施形態に記載の具体的手段との対応関係を示すものである。
【発明の効果】
【０００９】
請求項１の発明では、検知手段により、ＩＣカードがかざし面に対してかざされた方向が検知されると、この検知方向から表示面の表示内容が見やすくなるように液晶表示器の表示状態が調整手段により調整される。ＩＣカードがかざされる方向、すなわち、上記検知方向を利用者が立っている方向とみなすことができるので、上述のように検知方向に基づいて液晶表示器の表示状態を調整することで、ＩＣカードの利用者が決済端末に対してどの方向に位置する場合でも、利用者に対して表示内容の視認性を高めることができる。一方、上記検知方向に基づいて液晶表示器の表示状態が調整されたことで、利用者と異なる位置に立っている第三者ではその表示内容が見やすくなり難いので、第三者に対する表示内容の秘匿性を高めることができる。
したがって、利用者の立ち位置に応じて液晶表示器の表示状態を調整することで表示内容の視認性および秘匿性を高めることができる。
【００１０】
請求項２の発明では、調整手段は、複数のフィルターのうち検知手段により検知された検知方向に対応する視線方向用のフィルターにより表示面を覆うことで、液晶表示器の表示状態を調整する。これにより、上記検知方向と異なる方向からでは表示内容が見やすくなることも無いので、第三者に対する表示内容の秘匿性をさらに高めることができる。特に、フィルターの種類を増やすほど表示内容が見やすくなる方向をより細かく調整でき、表示内容の視認性および秘匿性をより一層高めることができる。
【００１１】
請求項３の発明では、調整手段は、液晶表示器の液晶層内の液晶分子の配向状態を変化させて視野角を制御することで、液晶表示器の表示状態を調整するため、表示内容が見やすくなる方向をより細かく調整でき、表示内容の視認性および秘匿性をさらに高めることができる。
【００１２】
請求項４の発明では、検知手段は、ＩＣカードがかざし面にかざされたことにより当該かざし面の周囲に配置される複数のコイルのそれぞれに生じる電流変化に基づいて、検知方向を検知するため、簡素な構成でＩＣカードがかざされる方向を検知することができる。
【図面の簡単な説明】
【００１３】
【図１】第１実施形態に係る決済端末を概略的に示す斜視図である。
【図２】図１の決済端末の電気的構成を概略的に示すブロック図である。
【図３】表示面の視野角を説明するための説明図である。
【図４】アンテナコイルと各検知用コイルとの位置関係を示す説明図である。
【図５】電流変化が大きな検知用コイルと視野角との関係を示す説明図である。
【図６】検知されたかざし方向に応じて調整される表示面の視野角を説明する説明図である。
【図７】第２実施形態に係る決済端末を概略的に示す上面図である。
【図８】図７の決済端末の電気的構成を概略的に示すブロック図である。
【図９】電流変化が大きな検知用コイルと視線方向との関係を示す説明図である。
【図１０】検知されたかざし方向に応じて視認性が確保される視線方向を説明する説明図である。
【発明を実施するための形態】
【００１４】
［第１実施形態］
以下、本発明に係る決済端末を具現化した第１実施形態について、図面を参照して説明する。図１は、第１実施形態に係る決済端末１０を概略的に示す斜視図である。図２は、図１の決済端末１０の電気的構成を概略的に示すブロック図である。
図１に示す決済端末１０は、かざし面１２にかざされる決済用の非接触通信媒体との間で決済関連情報等に関して非接触通信する機能を有する据え置き型の装置である。本実施形態では、非接触通信媒体として、所定のデータが読み書き可能に記憶されるＩＣチップＣａと非接触通信用のアンテナコイルＣｂとを有する公知の決済用のＩＣカードＣが採用されている。
【００１５】
図２に示すように、決済端末１０の筐体１１内には、決済端末１０全体を制御する制御部２１が設けられている。この制御部２１は、マイコンを主体として構成されるものであり、ＣＰＵ、システムバス、入出力インタフェース等を有しており、メモリ２２とともに情報処理装置を構成し得るもので情報処理機能を有している。また、制御部２１には、非接触通信部２３や液晶表示器２４、各検知用コイル２５ａ〜２５ｇ、通信インタフェース２６などが接続されている。
【００１６】
非接触通信部２３は、無線通信用のアンテナとして機能するアンテナコイル２３ａを介して、かざし面１２にかざされるＩＣカードＣとの間で電磁波による非接触通信（無線通信）を行なうことで、ＩＣカードＣがかざし面１２にかざされたことを検知し、当該ＩＣカードＣに記憶されるカード番号などの決済に関する決済関連情報の読み書き等を行なうように機能するものである。
【００１７】
次に、決済関連情報が表示面２４ａに表示される液晶表示器２４について、図３を用いて詳細に説明する。図３は、表示面２４ａの視野角θを説明するための説明図であり、図３（Ａ）は、視野角θが広い場合を示し、図３（Ｂ）は、視野角θが狭い場合を示す。
液晶表示器２４は、制御部２１から表示処理等に関する指令を受けて制御される構成をなしており、購入金額や残高等に関する情報が表示される表示面２４ａが、かざし面１２の近傍であって利用者にとってアンテナコイル２３ａの奥側に位置するように配置されている。
【００１８】
特に、液晶表示器２４は、制御部２１により液晶層内の液晶分子の配向状態を電圧制御に応じて変化させることで表示面２４ａの視野角θが正面方向を基準に制御可能に構成されている。具体的には、高視野角になるように液晶分子の配向状態を電圧制御すると、図３（Ａ）に例示するように、視野角θが比較的広い状態で所定の情報が視認可能に表示面２４ａに表示される。この場合には、どの方向から見ても表示面２４ａの表示内容を見やすくすることができる。
【００１９】
一方、低視野角になるように液晶分子の配向状態を電圧制御すると、図３（Ｂ）に例示するように、視野角θが比較的狭い状態で視認可能に所定の情報が表示面２４ａに表示される。この場合には、表示面２４ａに対して、正面方向の立ち位置（図３の領域Ｓ１参照）では表示面２４ａの表示内容が見やすくなり、斜め方向の立ち位置（図３の領域Ｓ２参照）では、表示面２４ａの表示内容が見にくくなる。
【００２０】
このように、液晶層内の液晶分子の配向状態を電圧制御に応じて変化させることで表示面２４ａの視野角θが調整されるため、電圧制御を細かく実施することで、表示面２４ａの視野角θ、すなわち、表示面２４ａの表示内容が見やすくなる方向をより細かく調整することができる。なお、制御部２１は、特許請求の範囲に記載の「調整手段」の一例に相当し得る。
【００２１】
次に、かざし面１２に対してＩＣカードＣがかざされた方向（以下、かざし方向αともいう）を検知する検知手段として機能する７つの検知用コイル２５ａ〜２５ｇについて、図４を用いて詳細に説明する。図４は、アンテナコイル２３ａと各検知用コイル２５ａ〜２５ｇとの位置関係を示す説明図である。
【００２２】
図４に示すように、アンテナコイル２３ａの周囲には、液晶表示器２４の表示面２４ａが配置される奥側（図４の上側）を除き、手前側（図４の下側）と一側（図４の左側）および他側（図４の右側）とに、当該アンテナコイル２３ａを囲うように７つの検知用コイル２５ａ〜２５ｇが配置されている。
【００２３】
具体的には、アンテナコイル２３ａの一側には、検知用コイル２５ａ，２５ｂが並んで設けられており、検知用コイル２５ａが検知用コイル２５ｂよりも表示面２４ａに近くなるようにそれぞれ配置されている。また、アンテナコイル２３ａの他側には、検知用コイル２５ｇ，２５ｆが並んで設けられており、検知用コイル２５ｇが検知用コイル２５ｆよりも表示面２４ａに近くなるようにそれぞれ配置されている。また、アンテナコイル２３ａの手前側には、検知用コイル２５ｃ，２５ｄ，２５ｅが並んで設けられており、検知用コイル２５ｃが検知用コイル２５ｄ，２５ｅよりも検知用コイル２５ｂに近く、検知用コイル２５ｅが検知用コイル２５ｄ，２５ｃよりも検知用コイル２５ｆに近くなるようにそれぞれ配置されている。
【００２４】
これら各検知用コイル２５ａ〜２５ｇには、ＩＣカードＣのアンテナコイルＣｂが近づけられることで磁界が変化して電流が流れるため、この電流変化を検出することで、その検知用コイルにＩＣカードＣのアンテナコイルＣｂが近づけられたことを検知することができる。すなわち、アンテナコイル２３ａの周囲に配置される各検知用コイル２５ａ〜２５ｇに生じる電流変化に基づいて、かざし面１２に対してＩＣカードＣがかざされたかざし方向αを検知することができる。
【００２５】
また、通信インタフェース２６は、外部（例えば銀行側サーバや外部ホスト装置）との間での決済情報に関するデータ通信を行うためのインタフェースとして構成されており、制御部２１と協働して通信処理を行う構成をなしている。
【００２６】
次に、各検知用コイル２５ａ〜２５ｇによるかざし方向αの検知結果に基づいて表示面２４ａの視野角θを制御することで液晶表示器２４の表示状態を調整する表示状態調整処理について、図５および図６を用いて説明する。図５は、電流変化が大きな検知用コイル２５ａ〜２５ｇと視野角θとの関係を示す説明図である。図６は、検知されたかざし方向αに応じて調整される表示面２４ａの視野角θを説明する説明図である。
【００２７】
本実施形態では、制御部２１により実施される表示状態調整処理により、各検知用コイル２５ａ〜２５ｇによるかざし方向αの検知結果に基づいて、表示面２４ａの視野角θが制御される。検知されたかざし方向αは、ＩＣカードＣをかざした利用者が立っている方向とみなすことができるので、当該かざし方向αの検知結果に基づいて表示面２４ａの視野角θを制御（調整）することで、利用者が決済端末１０に対してどの方向に位置する場合でも、利用者に対して表示面２４ａの表示内容の視認性を高めることができるからである。
【００２８】
本実施形態に係る表示状態調整処理では、図５に示すように、電流変化が大きな１または２の検知用コイルを検出し、この検出結果から検知されるかざし方向αに基づいて、表示面２４ａの視野角θが制御される。すなわち、図４に示すかざし方向α１からＩＣカードＣがかざされる場合には、検知用コイル２５ａのみに大きな電流変化が生じる。この場合には、かざし方向α１にＩＣカードＣをかざした利用者が立っているとして、図５に示すように、表示面２４ａの視野角θがθ１に制御される。これにより、図６に示す視野角θ１のように、表示面２４ａの表示状態が高視野角に制御されることで、かざし方向α１のように表示面２４ａに対して斜め方向に立っている利用者でも、表示面２４ａの表示内容を容易に視認することができる。
【００２９】
また、図４に示すかざし方向α２からＩＣカードＣがかざされる場合には、検知用コイル２５ａ，２５ｂに大きな電流変化が生じ、かざし方向α３からＩＣカードＣがかざされる場合には、検知用コイル２５ｂのみに大きな電流変化が生じる。この場合には、かざし方向α２，α３にＩＣカードＣをかざした利用者が立っているとして、図５に示すように、表示面２４ａの視野角θがθ２に制御される。これにより、図６に示す視野角θ２のように、表示面２４ａの表示状態がやや高視野角に制御されることで、かざし方向α２，α３のように表示面２４ａに対してやや斜め方向に立っている利用者でも、表示面２４ａの表示内容を容易に視認することができる。
【００３０】
また、図４に示すかざし方向α４からＩＣカードＣがかざされる場合には、検知用コイル２５ｂ，２５ｃに大きな電流変化が生じ、かざし方向α５からＩＣカードＣがかざされる場合には、検知用コイル２５ｃのみに大きな電流変化が生じる。この場合には、かざし方向α４，α５にＩＣカードＣをかざした利用者が立っているとして、図５に示すように、表示面２４ａの視野角θがθ３に制御される。これにより、図６に示す視野角θ３のように、表示面２４ａの表示状態がやや低視野角に制御されることで、かざし方向α４，α５のように表示面２４ａに対してやや正面方向に立っている利用者でも、表示面２４ａの表示内容を容易に視認することができる。
【００３１】
また、図４に示すかざし方向α６からＩＣカードＣがかざされる場合には、検知用コイル２５ｃ，２５ｄに大きな電流変化が生じ、かざし方向α７からＩＣカードＣがかざされる場合には、検知用コイル２５ｄのみに大きな電流変化が生じ、かざし方向α８からＩＣカードＣがかざされる場合には、検知用コイル２５ｄ，２５ｅに大きな電流変化が生じる。この場合には、かざし方向α６，α７，α８にＩＣカードＣをかざした利用者が立っているとして、図５に示すように、表示面２４ａの視野角θがθ４に制御される。これにより、図６に示す視野角θ４のように、表示面２４ａの表示状態が低視野角に制御されることで、かざし方向α６，α７，α８のように表示面２４ａに対して正面方向に立っている利用者でも、表示面２４ａの表示内容を容易に視認することができる。
【００３２】
また、図４に示すかざし方向α９からＩＣカードＣがかざされる場合には、検知用コイル２５ｅのみに大きな電流変化が生じ、かざし方向α１０からＩＣカードＣがかざされる場合には、検知用コイル２５ｅ，２５ｆに大きな電流変化が生じる。この場合には、かざし方向α９，α１０にＩＣカードＣをかざした利用者が立っているとして、図５に示すように、表示面２４ａの視野角θがθ３に制御される。これにより、図６に示す視野角θ３のように、表示面２４ａの表示状態がやや低視野角に制御されることで、かざし方向α９，α１０のように表示面２４ａに対してやや正面方向に立っている利用者でも、表示面２４ａの表示内容を容易に視認することができる。
【００３３】
また、図４に示すかざし方向α１１からＩＣカードＣがかざされる場合には、検知用コイル２５ｆのみに大きな電流変化が生じ、かざし方向α１２からＩＣカードＣがかざされる場合には、検知用コイル２５ｆ，２５ｇに大きな電流変化が生じる。この場合には、かざし方向α１１，α１２にＩＣカードＣをかざした利用者が立っているとして、図５に示すように、表示面２４ａの視野角θがθ２に制御される。これにより、図６に示す視野角θ２のように、表示面２４ａの表示状態がやや高視野角に制御されることで、かざし方向α１１，α１２のように表示面２４ａに対してやや斜め方向に立っている利用者でも、表示面２４ａの表示内容を容易に視認することができる。
【００３４】
また、図４に示すかざし方向α１３からＩＣカードＣがかざされる場合には、検知用コイル２５ｇのみに大きな電流変化が生じる。この場合には、かざし方向α１３にＩＣカードＣをかざした利用者が立っているとして、図５に示すように、表示面２４ａの視野角θがθ１に制御される。これにより、図６に示す視野角θ１のように、表示面２４ａの表示状態が高視野角に制御されることで、かざし方向α１３のように表示面２４ａに対して斜め方向に立っている利用者でも、表示面２４ａの表示内容を容易に視認することができる。
【００３５】
特に、かざし方向α６，α７，α８の検知に応じて表示面２４ａの視野角θがθ４に制御されるため、例えば、利用者と異なり表示面２４ａに対して斜め方向に立っている第三者ではその表示内容が見にくくなるので、第三者に対する表示面２４ａの表示内容の秘匿性を高めることができる。また、視野角θがθ３やθ２に制御される場合でも、利用者と異なり表示面２４ａに対して斜め方向に立っている第三者ではその表示内容が見にくくなるので、第三者に対する表示面２４ａの表示内容の秘匿性を高めることができる。
【００３６】
以上説明したように、本実施形態に係る決済端末１０では、検知用コイル２５ａ〜２５ｇにより、ＩＣカードＣがかざし面１２に対してかざされたかざし方向αが検知されると、この検知方向から表示面２４ａの表示内容が見やすくなるように液晶表示器２４の表示状態が制御部２１により調整される。このように検知方向に基づいて液晶表示器２４の表示状態を調整することで、ＩＣカードＣの利用者が決済端末１０に対してどの方向に位置する場合でも、利用者に対して表示内容の視認性を高めることができる。一方、上記検知方向に基づいて液晶表示器２４の表示状態が調整されたことで、利用者と異なる位置に立っている第三者では表示面２４ａの表示内容が見やすくなり難いので、第三者に対する表示内容の秘匿性を高めることができる。
したがって、利用者の立ち位置に応じて液晶表示器２４の表示状態を調整することで表示面２４ａの表示内容の視認性および秘匿性を高めることができる。
【００３７】
また、制御部２１は、液晶表示器２４の液晶層内の液晶分子の配向状態を変化させて視野角θを制御することで、液晶表示器２４の表示状態を調整するため、表示内容が見やすくなる方向をより細かく調整でき、表示内容の視認性および秘匿性をさらに高めることができる。特に、このような構成では、表示面２４ａが低視野角にも制御されることで、表示面２４ａが常に高視野角に制御される場合よりも省電力化を図ることができる。
【００３８】
さらに、検知手段として、ＩＣカードＣがかざし面１２にかざされたことにより当該かざし面１２の周囲に配置される複数の検知用コイル２５ａ〜２５ｇのそれぞれに生じる電流変化に基づいて、検知方向を検知するため、簡素な構成でＩＣカードＣがかざされるかざし方向αを検知することができる。
【００３９】
［第２実施形態］
次に、本第２実施形態に係る決済端末について、図７〜図１０を参照して説明する。図７は、第２実施形態に係る決済端末１０ａを概略的に示す上面図である。図８は、図７の決済端末１０ａの電気的構成を概略的に示すブロック図である。図９は、電流変化が大きな検知用コイル２５ａ〜２５ｇと視線方向Ｄａ〜Ｄｇとの関係を示す説明図である。図１０は、検知されたかざし方向αに応じて視認性が確保される視線方向Ｄａ〜Ｄｇを説明する説明図である。
【００４０】
本第２実施形態では、第三者に対する表示面２４ａの表示内容の秘匿性をさらに高めるため、液晶表示器２４の表示状態を調整する調整手段としてフィルター部３０を採用する点が、上記第１実施形態に係る決済端末と主に異なる。したがって、第１実施形態の決済端末と実質的に同一の構成部分には、同一符号を付し、その説明を省略する。なお、本実施形態における液晶表示器２４は、上記第１実施形態と異なり、検知したかざし方向αにかかわらず表示面２４ａの視野角θが高視野角となるように構成されている。
【００４１】
図７および図８に示すように、フィルター部３０は、表示面２４ａの奥側に配置されており、表示面２４ａの視認性を変化させるための７種類のフィルター３１ａ〜３１ｇと、アクチュエータ３２と、各フィルター３１ａ〜３１ｇおよびアクチュエータ３２が収容される収容部３３とを備えている。各フィルター３１ａ〜３１ｇは、それぞれ略平板状に形成されており、いずれか１つが収容部３３内から表示面２４ａに向けて飛び出すように移動することで当該表示面２４ａの全面を覆うことが可能となるように、アクチュエータ３２により移動可能に支持されている。
【００４２】
各フィルター３１ａ〜３１ｇは、それぞれ異なる視線方向（図９の視線方向Ｄａ〜Ｄｇのいずれか）を除き表示面２４ａの視認性を低下させるように構成されている。具体的には、フィルター３１ａは、かざし方向α１に相当する視線方向Ｄａを除き表示面２４ａの視認性を低下させるように構成されている。すなわち、フィルター３１ａは、視線方向Ｄａのみ視認性を確保するように構成されている。
【００４３】
また、フィルター３１ｂは、かざし方向α２，α３に相当する視線方向Ｄｂを除き表示面２４ａの視認性を低下させるように構成されている。また、フィルター３１ｃは、かざし方向α４，α５に相当する視線方向Ｄｃを除き表示面２４ａの視認性を低下させるように構成されている。また、フィルター３１ｄは、かざし方向α６，α７，α８に相当する視線方向Ｄｄを除き表示面２４ａの視認性を低下させるように構成されている。また、フィルター３１ｅは、かざし方向α９，α１０に相当する視線方向Ｄｅを除き表示面２４ａの視認性を低下させるように構成されている。また、フィルター３１ｆは、かざし方向α１１，α１２に相当する視線方向Ｄｆを除き表示面２４ａの視認性を低下させるように構成されている。また、フィルター３１ｇは、かざし方向α１３に相当する視線方向Ｄｇを除き表示面２４ａの視認性を低下させるように構成されている。
【００４４】
本実施形態係る表示状態調整処理では、制御部２１により、図１０に示すように、各検知用コイル２５ａ〜２５ｇによるかざし方向αの検知結果に基づいて、そのかざし方向αに対応する視線方向と異なる視線方向の視認性を低下させるようにフィルターが選択される。そして、選択されたフィルターを移動させるための制御信号が制御部２１から出力されてアクチュエータ３２に入力されることで、この選択されたフィルターがアクチュエータ３２により収容部３３内から表示面２４ａに向けて飛び出すように移動する。その結果、このように移動したフィルターにより表示面２４ａが覆われることで、液晶表示器２４の表示状態が調整される。
【００４５】
具体的には、かざし方向α１からＩＣカードＣがかざされたことが検知されると、フィルター３１ａが選択されて、このフィルター３１ａが表示面２４ａの全面を覆うように移動する。これにより、かざし方向α１のように表示面２４ａに対して斜め方向（視線方向Ｄａ）に立っている利用者でも、表示面２４ａの表示内容を容易に視認することができる。この場合、かざし方向α１に対応する視線方向Ｄａと異なる方向（Ｄｂ〜Ｄｇ）に立っている第三者ではその表示内容が見にくくなるので、単に視野角θを調整する上記第１実施形態よりも、第三者に対する表示面２４ａの表示内容の秘匿性を高めることができる。
【００４６】
また、かざし方向α２，α３のいずれかからＩＣカードＣがかざされたことが検知されると、フィルター３１ｂが選択されて、このフィルター３１ｂが表示面２４ａの全面を覆うように移動する。これにより、かざし方向α２，α３のように表示面２４ａに対してやや斜め方向（視線方向Ｄｂ）に立っている利用者でも、表示面２４ａの表示内容を容易に視認することができる。この場合、かざし方向α２，α３に対応する視線方向Ｄｂと異なる方向（Ｄａ，Ｄｃ〜Ｄｇ）に立っている第三者ではその表示内容が見にくくなるので、単に視野角θを調整する上記第１実施形態よりも、第三者に対する表示面２４ａの表示内容の秘匿性を高めることができる。
【００４７】
また、かざし方向α４，α５のいずれかからＩＣカードＣがかざされたことが検知されると、フィルター３１ｃが選択されて、このフィルター３１ｃが表示面２４ａの全面を覆うように移動する。これにより、かざし方向α４，α５のように表示面２４ａに対してやや正面方向（視線方向Ｄｃ）に立っている利用者でも、表示面２４ａの表示内容を容易に視認することができる。この場合、かざし方向α４，α５に対応する視線方向Ｄｃと異なる方向（Ｄａ，Ｄｂ，Ｄｄ〜Ｄｇ）に立っている第三者ではその表示内容が見にくくなるので、単に視野角θを調整する上記第１実施形態よりも、第三者に対する表示面２４ａの表示内容の秘匿性を高めることができる。
【００４８】
また、かざし方向α６，α７，α８のいずれかからＩＣカードＣがかざされたことが検知されると、フィルター３１ｄが選択されて、このフィルター３１ｄが表示面２４ａの全面を覆うように移動する。これにより、かざし方向α６，α７，α８のように表示面２４ａに対して正面方向（視線方向Ｄｄ）に立っている利用者でも、表示面２４ａの表示内容を容易に視認することができる。
【００４９】
また、かざし方向α９，α１０のいずれかからＩＣカードＣがかざされたことが検知されると、フィルター３１ｅが選択されて、このフィルター３１ｅが表示面２４ａの全面を覆うように移動する。これにより、かざし方向α９，α１０のように表示面２４ａに対してやや正面方向（視線方向Ｄｅ）に立っている利用者でも、表示面２４ａの表示内容を容易に視認することができる。この場合、かざし方向α９，α１０に対応する視線方向Ｄｅと異なる方向（Ｄａ〜Ｄｄ，Ｄｆ，Ｄｇ）に立っている第三者ではその表示内容が見にくくなるので、単に視野角θを調整する上記第１実施形態よりも、第三者に対する表示面２４ａの表示内容の秘匿性を高めることができる。
【００５０】
また、かざし方向α１１，α１２のいずれかからＩＣカードＣがかざされたことが検知されると、フィルター３１ｆが選択されて、このフィルター３１ｆが表示面２４ａの全面を覆うように移動する。これにより、かざし方向α１１，α１２のように表示面２４ａに対してやや斜め方向（視線方向Ｄｆ）に立っている利用者でも、表示面２４ａの表示内容を容易に視認することができる。この場合、かざし方向α１１，α１２に対応する視線方向Ｄｆと異なる方向（Ｄａ〜Ｄｅ，Ｄｇ）に立っている第三者ではその表示内容が見にくくなるので、単に視野角θを調整する上記第１実施形態よりも、第三者に対する表示面２４ａの表示内容の秘匿性を高めることができる。
【００５１】
また、かざし方向α１３からＩＣカードＣがかざされたことが検知されると、フィルター３１ｇが選択されて、このフィルター３１ｇが表示面２４ａの全面を覆うように移動する。これにより、かざし方向α１３のように表示面２４ａに対して斜め方向（視線方向Ｄｇ）に立っている利用者でも、表示面２４ａの表示内容を容易に視認することができる。この場合、かざし方向α１３に対応する視線方向Ｄｇと異なる方向（Ｄａ〜Ｄｆ）に立っている第三者ではその表示内容が見にくくなるので、単に視野角θを調整する上記第１実施形態よりも、第三者に対する表示面２４ａの表示内容の秘匿性を高めることができる。
【００５２】
以上説明したように、本実施形態に係る決済端末１０では、調整手段として採用される７種類のフィルター３１ａ〜３１ｇのうち検知用コイル２５ａ〜２５ｇにより検知された検知方向に対応する視線方向用のフィルターにより表示面２４ａが覆われることで、液晶表示器２４の表示状態が調整される。これにより、上記検知方向と異なる方向からでは表示面２４ａの表示内容が見やすくなることも無いので、第三者に対する表示内容の秘匿性をさらに高めることができる。特に、フィルターの種類を増やすほど表示内容が見やすくなる方向をより細かく調整でき、表示内容の視認性および秘匿性をより一層高めることができる。
【００５３】
なお、本発明は上記各実施形態に限定されるものではなく、例えば、以下のように具体化してもよい。
（１）かざし面１２に対してＩＣカードＣがかざされたかざし方向αを検知する検知手段として機能する検知用コイルは、上述したように７箇所配置されることに限らず、アンテナコイル２３ａを囲うように３〜６箇所または８箇所以上配置されてもよい。これにより、かざし方向αの検知数を調整でき、その使用環境等に応じて液晶表示器２４の表示状態を調整可能な段階数を制御することができる。
【００５４】
（２）かざし面１２に対してＩＣカードＣがかざされたかざし方向αを検知する検知手段として、上述したように検知用コイル２５ａ〜２５ｇが採用されることに限らず、例えば、ＩＣカードＣによるアンテナコイル２３ａの遮蔽状態を検知する光センサのようなセンサが採用されてもよい。
【００５５】
（３）検知されたかざし方向α（検知方向）から表示面２４ａの表示内容が見やすくなるように液晶表示器２４の表示状態を調整する調整手段として、液晶分子の配向状態を変化させて視野角θを調製する構成やフィルター部３０が採用されることに限らず、他の調整手段、例えば、表示面２４ａ上に配置されて視認性が確保される視線方向を電圧制御等により複数方向調整可能な電子フィルターが採用されてもよい。
【符号の説明】
【００５６】
１０，１０ａ…決済端末
１２…かざし面
２１…制御部（調整手段）
２３ａ…アンテナコイル（アンテナ）
２４…液晶表示器
２４ａ…表示面
２５ａ〜２５ｇ…検知用コイル（検知手段）
３１ａ〜３１ｇ…フィルター（調整手段）
Ｃ…ＩＣカード
Ｄａ〜Ｄｇ…視線方向
α１〜α１３…かざし方向（検知方向）
θ，θ１〜θ４…視野角
【図１】
2014056006.tif 000003
【図２】
2014056006.tif 000004
【図３】
2014056006.tif 000005
【図４】
2014056006.tif 000006
【図５】
2014056006.tif 000007
【図６】
2014056006.tif 000008
【図７】
2014056006.tif 000009
【図８】
2014056006.tif 000010
【図９】
2014056006.tif 000011
【図１０】
2014056006.tif 000012